(57)【要約】      （修正有）【課題】異なるタイプの衣服を干すことができ、かつ脱落を防止することができるハンガーを提供する。【解決手段】ハンガーは、ハンガー本体を含み、中央上方にフック１１が設けられ、フックから下に複数本の連結棒１２が延伸され、かつ横方向棒１３で連結棒が連結されて位置決め部２が形成され、横方向棒の両端が位置決め部を越えた後、上に湾曲されて第１支持区域３１と第２支持区域４１が形成され、第１支持区域及び第２支持区域と位置決め部に距離が保持されて開口部４２が形成され、ハンガー本体の両端に第１固定区域３３と第２固定区域４３が形成され、第１支持区域と第２支持区域上に湾曲を通じてＳ字形の挟持部４４が形成されている。【選択図】図２
0003220777.tif 000002
【実用新案登録請求の範囲】
【請求項１】
ハンガーであって、主にハンガー本体を含み、該ハンガー本体の中央上方にフックが設けられ、該フックから下に複数本の連結棒が延伸され、かつ横方向棒で該連結棒が連結されて位置決め部が形成され、該横方向棒の両端が該位置決め部を越えた後上に湾曲されて第１支持区域と第２支持区域が形成され、また、該第１支持区域及び該第２支持区域と該位置決め部に距離が保持されて開口部が形成され、かつ該ハンガー本体の両端に第１固定区域と第２固定区域が形成されたことを特徴とする、ハンガー。
【請求項２】
前記第１支持区域と該第２支持区域上に、機械・工具による湾曲を通じてＳ字形の挟持部が形成されたことを特徴とする、請求項１に記載のハンガー。
【考案の詳細な説明】
【技術分野】
【０００１】
本考案はハンガーに関し、特に、衣服を掛けて吊るすことができ、さらに下着類、靴下、さらには靴を掛けて吊るし、風で落下しないようにすることができる、ハンガーに関する。
【背景技術】
【０００２】
一般に使用者は衣服の洗濯が終わった後、ハンガー２００を利用して衣服を掛け、屋上やベランダ、庭などの日当たりがよい場所や風通しがよい場所に吊るしておく。
【０００３】
従来のハンガー２００は、図１に示すように、ハンガー本体を備え、該ハンガー本体上にフックが設けられ、ハンガー本体が機械により湾曲された台形または二等辺三角形に類似した構造を備えており、ハンガー本体を衣服内（例えば袖、ズボンのウエスト部）等に挿入し、ハンガー本体の両端で衣服を支持して干す機能を提供することができる。
【０００４】
しかしながら、従来のハンガー２００にはおおよそ次のような欠点がある。
【０００５】
１.下着や靴下等の物品は従来のハンガー２００を使用して干すことができず、別途洗濯挟みが付いたハンガーを準備する必要があるが、このようなハンガーは下着や靴下に変形を生じやすい問題がある。
【０００６】
２.従来の構造の非難されやすい問題として、冬や風が強いとき、衣服が地面に滑落し、衣服を洗い直さなければならなくなり、非常に不便である点がある。
【０００７】
３.従来の構造はコートなどの比較的大きい衣服を固定できず、衣服がハンガーから脱落することがある。
【考案の概要】
【考案が解決しようとする課題】
【０００８】
本考案の主な目的は、従来のハンガーから派生する問題を解決する、ハンガーを提供することにある。
【課題を解決するための手段】
【０００９】
上述の目的を達するため、本考案のハンガーは、主に、ハンガー本体を含み、該ハンガー本体の中央上方にフックが設けられ、該フックから下に複数本の連結棒が延伸され、かつ横方向棒で該連結棒が連結されて位置決め部が形成され、該横方向棒の両端が該位置決め部を越えた後上に湾曲されて第１支持区域と第２支持区域が形成され、また、該第１支持区域及び該第２支持区域と該位置決め部に距離が保持されて開口部が形成され、かつ該ハンガー本体の両端に第１固定区域と第２固定区域が形成され、また該第１支持区域と該第２支持区域上に機械・工具による湾曲を通じてＳ字形の挟持部が形成される。
【００１０】
これにより、コート等大型の衣服はハンガー本体の第１支持区域と第２支持区域を利用して支持し、さらに襟面または襟口を該第１固定区域及び第２固定区域に折り込むことで挟持して固定し、このように大型の衣服をハンガー本体に挟持して固定することができる。このほか、該挟持部は衣服を挟持して固定でき、かつ衣服を展開したときの面積を増加し、衣服の乾燥を加速する効果を備えている。
【００１１】
袖なし衣服（例えば運動用下着、女性用下着等）を干すときに利用する場合、肩ひもを該開口部に入れると、袖なし衣服は第１固定区域及び第２固定区域に位置決めされ、衣服を展開したときの滑落、変形を防止することができる。
【００１２】
靴下等製品を干すときに利用する場合、該開口部を通じて靴下の口を該第１支持区域と該第２支持区域上に固定し、靴下類の製品を干すことができる。
【００１３】
該位置決め部は衣服を支持し、ハンガー本体の全体強度を高め、本考案の使用寿命を延長し、耐用性を高める等複数の利点を提供する。
【００１４】
以下この考案について説明する。請求項１に記載するハンガーは、主にハンガー本体を含み、該ハンガー本体の中央上方にフックが設けられ、該フックから下に複数本の連結棒が延伸され、かつ横方向棒で該連結棒が連結されて位置決め部が形成され、該横方向棒の両端が該位置決め部を越えた後上に湾曲されて第１支持区域と第２支持区域が形成され、また、該第１支持区域及び該第２支持区域と該位置決め部に距離が保持されて開口部が形成され、かつ該ハンガー本体の両端に第１固定区域と第２固定区域が形成される。
【００１５】
請求項２に記載するハンガーは、請求項１における該第１支持区域と該第２支持区域上に、機械・工具による湾曲を通じてＳ字形の挟持部が形成される。
【考案の効果】
【００１６】
上述の構造により、本考案は次のような効果を提供することができる。
【００１７】
１.異なるタイプの衣服を干すために使用でき、使用者は多様な種類のハンガーを準備する必要なく、衣服を本考案上で干すことができる。
【００１８】
２.衣服の滑落を防止し、しっかりと本考案上で干すことができる。
【００１９】
３.本考案の独特な設計により、衣服の展開面積を最大化し、衣服の乾燥速度を加速することができる。
【図面の簡単な説明】
【００２０】
【図１】従来のハンガーの構造図である。
【図２】本考案の実施例１のハンガーの構造図である。
【図３】本考案のハンガーの使用状態図１であり、本考案を利用して袖あり衣服を干すときの状態を示す。
【図４】本考案のハンガーの使用状態図２であり、本考案を利用して袖なし衣服を干すときの状態を示す。
【図５】本考案のハンガーの使用状態図３であり、本考案を利用して靴下を干すときの状態を示す。
【図６】本考案の実施例２のハンガーの構造図である。
【考案を実施するための形態】
【実施例１】
【００２１】
図２に示すように、本考案のハンガーの実施例１は、主にハンガー本体１００を含む。
【００２２】
そのうち、該ハンガー本体１００の中央上方にフック１１が設けられ、該フック１１から下に複数本の連結棒１２が延伸され、かつ横方向棒１３で該連結棒１２が連結されて位置決め部２が形成され、該横方向棒１３の両端が該位置決め部を越えた後上に湾曲されて第１支持区域３１と第２支持区域４１が形成され、また、該第１支持区域３１及び該第２支持区域４１と該位置決め部２に距離が保持されて開口部３２、４２が形成され、かつ該ハンガー本体１００の両端に第１固定区域３３と第２固定区域４３が形成され、かつ該第１支持区域３１と該第２支持区域４１上に機械・工具による湾曲を通じてＳ字形の挟持部３４、４４が形成される。
【００２３】
これにより、該位置決め部２が衣服を支持し、ハンガー本体１００の全体強度を高め、本考案の使用寿命を延長し、耐用性を高める等複数の利点を提供し、衣服を第１支持区域３１と第２支持区域４１により支持し、続いて衣服を折り返して該第１固定区域３３、第２固定区域４３内に固定することで、衣服の滑落の発生を防止することができる。
【００２４】
図３に本考案を利用して袖あり衣服を干すときの状態を示す。但し、同様にズボン、パンツ等で運用することもでき、説明の利便性のため本実施例では袖あり衣服Ａのみを用いて説明するが、これに限らないことを述べておく。図３に示すように、袖あり衣服Ａはハンガー本体１００の第１支持区域３１と第２支持区域４１を利用して支持し、襟面または襟口を該第１固定区域３３及び第２固定区域４３に折り込み、挟持して固定することで、袖あり衣服Ａをハンガー本体１００に挟持して固定することができる。
【００２５】
図４に本考案を利用して袖なし衣服Ｂを干すときの状態を示す。肩ひもを該開口部３２、４２に入れた後、挟持区域３３、３４に固定すると、袖なし衣服Ｂを展開するとともに、袖なし衣服Ｂの滑落、変形を防止することができる。
【００２６】
図５に本考案を利用して靴下Ｃを干すときの状態を示す。該開口部３２、４２を通じて靴下Ｃの口を該第１支持区域３１、挟持区域３４と該第２支持区域４１、挟持区域４４上に固定すると、靴下Ｃを展開して干すことができる。
【実施例２】
【００２７】
図６に本考案の実施例２の構造図を示す。基本的な構造は図２から図５と同じであるが、該第１支持区域３１と該第２支持区域４１上にＳ字形の挟持区域３４、４４を設けていない点が異なり、これにより製造工程を簡素化することができる。
【符号の説明】
【００２８】
（本考案）
１００    ハンガー本体
１１      フック
１２      連結棒
１３      横方向棒
２        位置決め部
３１      第１支持区域
３２      開口部
３３      第１固定区域
３４      挟持部
４１      第２支持区域
４２      開口部
４３      第２固定区域
４４      挟持部
Ａ        袖あり衣服
Ｂ        袖なし衣服
Ｃ        靴下
（従来構造）
２００    ハンガー
【図１】
0003220777.tif 000003
【図２】
0003220777.tif 000004
【図３】
0003220777.tif 000005
【図４】
0003220777.tif 000006
【図５】
0003220777.tif 000007
【図６】
0003220777.tif 000008